(57)【特許請求の範囲】
【請求項１】
袖部を側縁に対して斜め上方にほぼ１１５度の角度で一体裁断した前身頃と、袖部を肩先面に対してほぼ２０度前方に湾曲するとともに肘部でほぼ１５度前方に湾曲するように一体裁断した上側部と、袖部を側縁に対して斜め上方にほぼ１１０度の角度で一体裁断した後身頃とから構成され、上側部の前縁を前身頃の上縁および袖部上縁に縫着し、上側部の後縁を後身頃の上縁および袖部上縁に縫着し、前身頃および後身頃の袖部下縁を互いに縫着し、前身頃に対して前方に延びる袖を形成し、後身頃の袖部の下縁肘区域に半円状切り欠き部を設け、この半円状切り欠き部に半円状切り欠き部の曲率より小さい曲率の円弧片を縫着したことを特徴とする衣服。
【請求項２】
上側部の前縁と後縁の長さの差は８ｃｍ程度であることを特徴とする請求項１に記載の衣服。
【発明の詳細な説明】
【０００１】
【発明が属する技術分野】
本発明は、特に腕の前方挙上の運動機能に対する追従性に優れ、動体適応衣として好ましい衣服に関する。
【０００２】
【従来の技術】
従来の衣服は、付袖あるいはラグラン袖の如何に拘らず、その袖は人体の中心から肩先を通る横軸の延長線上に設けられるため、静止時においてはともかく、腕の挙上動作、なかでも前方挙上運動に対し追従性がなく、したがって身頃と袖との連設部分に引きつれが起り、身頃を引張り上げることになって腕の動作の障害となり、人体の機能を妨げる結果となる。
【０００３】
また、衣服の後身頃の袖付け部分にゆるみをとっても、腕の前方挙上時に前身頃の袖付け部分に引きつりが起り、運動機能に対する理想的な追従機能を有するものではなかった。特に動体適応衣においては、上記運動機能に対する障害は致命的であり、また作業衣においても、人体の疲労を早めるなどの欠陥をもたらすものであった。
【０００４】
本出願人は、かかる衣服に関連した生体機能の研究により、衣服構造線に囲まれる人体の皮ふには、生理的なしわと、生活の中で繰り返えし行なわれる動作により形成される後発的なしわがあり、皮ふは後発的なしわのひだに対して直角な方向に伸展し、しわのひだの方向には伸展しないという特性があることを考慮して、腕の前方挙上の運動機能に対する追従性に優れた衣服を開発した。
【０００５】
上記衣服は、袖部を側縁に対して斜め上方にほぼ１３５度の角度で一体裁断した前身頃と、袖部を肩先面に対して肘部付近で前方にほぼ１６０度の角度をもって一体裁断した肩部と、袖部を腋下部で前方にほぼ１５０度の角度をもって一体裁断した側部と、袖部を側縁に対して斜め上方にほぼ１１５度の角度で一体裁断した後身頃との４つの部片を、肩部の袖部両縁を前身頃および後身頃の袖部上縁にそれぞれ縫着し、前身頃および後身頃の袖部下縁に側部の袖部両縁をそれぞれ縫着して構成される（特許第１５４１４８９号参照）。
【０００６】
【発明が解決しようとする課題】
上記衣服は、前身頃と肩部と側部と後身頃の４つの部片により構成され、袖部を側部の前縁および後縁の縫合線の長さを対応縫着部分の長さに合うように違えた形にすることで効果を成立させているため、側部そのものの作図が難しく、腋窩に当たる折れ部分（アームホールの底に相当）を他部分との関連をとりながら適正な位置にしないと腋下に障り着用感を損なうという問題がある。
【０００７】
本出願人は、人体の体表の皮膚を一枚の被服物とみなし、その皮膚がもつ機能を解剖学的かつ工学的に分析することにより、衣服の基本構造および運動機能表現を皮神経の支配領域面と皮膚の伸展機能面と上肢帯および上肢の各関節面を基本として設計した衣服を提供する。
【０００８】
衣服の人体の皮神経の支配領域面からのパターン設計
図８は皮神経の支配領域を示す皮節構造を右半分を前面で左半分を後面で示す図である。図８において、上半身のＣ頸神経の支配が肩と上肢の外側部分（斜線部分）１００をなし、Ｔ胸神経の胸側が胸と上肢とが一続きになって上肢前面の下方部分１０１をなし、Ｔ胸神経の背側が背部と上肢とが一続きになって上肢後面の下方部分１０２をなしている。外側部分１００と前面下方部分１０１と後面下方部分１０２の３部分が、前側では前肢前軸線１０３を形成し、後側では前肢後軸線１０４を形成し、下側では外側分界線１０５を形成する。
【０００９】
すなわち、３つの区域１００，１０１，１０２と３つの境界線１０３，１０４，１０５が、衣服のアームホールがない３部分構成による袖機構を方向づける根拠である。
【００１０】
衣服の人体の皮膚の伸展機能面からのパターン設計
図９は、皮ふの伸展機構を右半分を前面で左半分を後面で示す人体の全身にわたって走行する皮膚の皺襞（しわ）を精査描写した図である。
【００１１】
図１０は、人体の腕付根領域を走行する皮膚の皺襞（しわ）の展開図である。
【００１２】
皮ふの皺襞の特性（しわと平行方向にはほとんど伸展せず、その直角方向には皮ふのずれ組織とあいまってよく伸展する）にしたがい、その伸展方向を点線矢印で示す。
【００１３】
図９において、後腋伸展線１０６は、後中心とウエストライン（ＷＬ）の交点から後腋部を介して上腕外側（三角筋付着部）方向に斜め上に走り、前腋伸展線１０７は、脇線とＷＬの交る部分から前腋部を介して上腕外側方向にほぼ直上に走る。前面と後面の走行方向に大きな相違が見られるが、これが袖パターンの設計にとり大きな留意点となる。また上肢前上方挙上の際に、腋底窩に緻密に貯えられているしわ（皮膚の展開図腋底部分）が広がって引きつれを起こさないようになっている仕組みも大きな留意点である。この腋窩の皮膚の障壁の伸展機能を、皮節構造で３つに区分した部分うちの前面と後面の部分に配慮する。
【００１４】
図１１は、皮膚の伸展機能を衣服原型に取り入れる方法を示す図である。図１１に示す衣服原型は、図１０に示す皮膚展開の後腋伸展線１０６および前腋伸展線１０７を衣服原型の後身頃７にＢライン１０６ａ、前身頃３にＦライン１０７ａとして移し入れる。Ｂライン１０６ａが後身頃７の後腋部配列スペース１０８を通り、Ｆライン１０７ａが前身頃３の前腋部配列スペース１０９を通るが、後腋部配列スペース１０８と前腋部配列スペース１０９の交叉部分ＳＰを支点に袖を前後に振るか、袖山線・アームホールを変化させることにより、後腋部配列スペース１０８および前腋部配列スペース１０９の増減すなわち運動量の調節を可能にする。
【００１５】
すなわち、上肢の前上方挙上運動を満たすには、この交叉部分ＳＰを支点に十分な運動量を与える必要があるので、前面と後面の袖下方部分を前見頃と後身頃に対してそれぞれ仰角方向に配置することになる。
【００１６】
本発明の衣服の前身頃および後身頃は、皮ふの胸背部の伸展方向の違いにより、袖部の仰角を前面で袖付角度１１５°、後面で袖付角度１１０°に設定する。
【００１７】
衣服の人体の上肢の各関節面からのパターン設計
図１２は横断体型による胸部と背部の運動による偏移を示す図である。図１２の中心線Ｖ−Ｄにより右側の図は、腕組みしたときの静体位（実線）における腕付根幅ＦＡ〜ＢＡが動体位（点線）における腕付根幅ＦＡ’〜ＢＡ’に偏移する様子を示したもので、運動域が人体の前方にあることがわかる。この運動域は、図１３に示すように、胸鎖関節Ｇ１、肩関節Ｇ２、肘関節Ｇ３によってもたらされる。袖の構造は、袖付根に当たる肩関節部分と、袖の屈曲に関係する肘関節部分のそれぞれがもつ特有の可動性を十分に促すようにする。
【００１８】
図１４は、上肢前上方挙上にともなうアームホールにおける袖の引きつれ支点Ｐ１，Ｐ２を示し、アームホール上の袖運動で発生する引きつれの支点Ｐ１，Ｐ２で、上肢を単純に外側方に挙上するとき、袖が引きつれて前身頃３および後身頃７を持ち上げる分岐点を着用実験で求めたものである。
【００１９】
図１４において、Ｐ１〜ＡＣ〜Ｐ２は静止状態における衣服着用時の支帯部分で、ＣからＤまでの範囲内にある。Ｐ１とＰ２の位置の設定いかんで袖の上挙機能が左右される。着用実験例では、Ｐ１〜ＡＣ、ＡＣ〜Ｐ２はそれぞれ９．５ｃｍとした。ここで、Ｐ１〜Ｐ２間が上側部肩部分の袖幅となり、図１３の肩関節部のＳＰ点で２０°、肘部で１５°になるように後軸線上で運動量を加え、全体として前湾形を作り、上肢前方運動に対応するようにする。
【００２０】
しかして、Ｐ１前軸線長＜Ｐ２後軸線長となり、その差が８ｃｍとなる。この差は、そのまま前見頃３と後見頃７の袖下・脇線（外側分界線）の長さの差になる。この部分は同寸でなければ接合できないので、合理的なＰ１前軸線長とＰ２後軸線長を設定する。
【００２１】
本発明は、上記した点を考慮してなされたもので、前身頃と上側部と後身頃の３つの部片で構成し、上側部を（Ｃ頸神経の支配部分）に関節の可動性を加えることで設計し、構成を簡略化しながら、腕の前上方挙上運動における身頃の引きつれを防ぎ、着用感にすぐれた衣服を提供することを目的とする。
【００２２】
【課題を解決するための手段】
本発明の衣服は、袖部を側縁に対して斜め上方にほぼ１１５度の角度で一体裁断した前身頃と、袖部を肩先面に対してほぼ２０度前方に湾曲するとともに肘部でほぼ１５度前方に湾曲するように一体裁断した上側部と、袖部を側縁に対して斜め上方にほぼ１１０度の角度で一体裁断した後身頃とから構成され、上側部の前縁を前身頃の上縁および袖部上縁に縫着し、上側部の後縁を後身頃の上縁および袖部上縁に縫着し、前身頃および後身頃の袖部下縁を互いに縫着し、前身頃に対して前方に延びる袖を形成し、後身頃の袖部の下縁肘区域に半円状切り欠き部を設け、この半円状切り欠き部に半円状切り欠き部の曲率より小さい曲率の円弧片を縫着したことで、肩関節および肘関節を含む一連の屈曲による前方の運動域に対処し、腕の前上方挙上の運動機能に対する肘運動をしやすくし、身頃および袖の引きつれ抵抗を解消することができる。
【００２３】
【発明の実施の形態】
以下本発明の実施の形態を図面につき説明する。
【００２４】
本発明による衣服１は、図１ないし図３に示すように、袖部２を一体裁断した前身頃３と、袖部４を一体裁断した上側部５と、袖部６を一体裁断した後身頃７の３つの部片から構成されている。
【００２５】
上記衣服１において、前身頃３と上側部５の縫合線は人体の前肢前軸線１０３に対応し、後身頃７と上側部５の縫合線は人体の前肢後軸線１０４に対応し、前身頃３と後身頃７の縫合線は人体の外側分界線１０５に対応する。
【００２６】
上記前身頃３は、図４（ａ）に示すように、上縁２ａが人体の前肢前軸線１０３に対応し下縁２ｂが人体の外側分界線１０５に対応するように人体の外側分界線１０５に対応する側縁３ａに対して斜め上方にほぼ１１５度の角度をなす袖部２を有する。この袖部２に含まれる上肢を外側方向に挙上する際の袖の引きつれ支点Ｐ１を中心とする運動量をＳ１（斜線部分）で示す。
【００２７】
上記上側部５は、図４（ｂ）に示すように、前縁４ａが人体の前肢前軸線１０３に対応し後縁４ｂが人体の前肢後軸線１０４に対応しかつ前方に湾曲するように、ＳＮＰからＳＰ（肩線）を通る直線の延長線に対してほぼ２０度前方に湾曲しかつ肘部でほぼ１５度前方に湾曲する袖部４を有する。この袖部４に含まれる上肢を外側方向に挙上する際の袖の引きつれ支点Ｐ１を中心とする運動量をＳ２（斜線部分）で示す。
【００２８】
上記後身頃７は、図４（ｃ）に示すように、上縁６ａが人体の前肢後軸線１０４に対応し下縁６ｂが人体の外側分界線１０５に対応するように人体の外側分界線１０５に対応する側縁７ａに対して斜め上方にほぼ１１０度の角度をなす袖部６を有する。この袖部６に含まれる上肢を外側方向に挙上する際の袖の引きつれ支点Ｐ２を中心とする運動量をＳ３（斜線部分）で示す。
【００２９】
また、上記後身頃７は、図５ないし図７に示すように、袖部６の下縁肘区域に半円状切り欠き部８を有する。半円状切り欠き部８は、曲率Ｒ１の円弧部とこれに続く曲部から形成されている。そして、半円状切り欠き部８に円弧片９が縫着される。円弧片９は、半円状切り欠き部の曲率Ｒ１より小さい曲率Ｒ２を有し、周縁長さを半円状切り欠き部８の周縁長さに等しく設定されている。これら形状にともなう差寸により肘運動をしやすくなる。
【００３０】
図７は、円弧片９を設けた肘部とダーツを設けた肘部とを比較した図である。図７において、円弧片９を設けた肘部の形状をを実線で示し、ダーツを設けた肘部の形状をを点線で示す。
【００３１】
円弧片９を設けた肘部は、円弧片９のＥＰ（Ｅｌｂｏｗ  Ｐｏｉｎｔ肘頭点）、ＥＰ１，ＥＰ２を半円状切り欠き部８ののＥＰ、ＥＰ１，ＥＰ２に縫着することで円滑な曲面が得られ、肘当て部分の面積を増やすことができる。
【００３２】
ダーツを設けた肘部は、ＥＰをはさむＥＰ１，ＥＰ２の２点を設けることで肘運動における差を同調させることができるが、得られる曲面に円滑性を欠くので得策とはいえない。
【００３３】
本発明の衣服における袖部は、図６に示すように、前身頃３の外側分界線相当の袖下縁２ｂおよび後身頃７の外側分界線相当の袖下縁６ｂが前方に湾曲して上側部５の前湾形状に自然に同調するので、十分な肘運動ひいては上肢運動をしやすくする。
【００３４】
しかして、衣服１を作るには、前身頃３の袖部２の上縁２ａおよび後身頃７の袖部６の上縁６ａを上側部５の袖部４の前縁４ａおよび後縁４ｂにそれぞれ縫着し、前身頃３の袖部２の下縁２ｂと後身頃７の袖部６の下縁６ｂ縫着し、前身頃３の側縁３ａと後身頃７の側縁７ａを縫着することで行なわれる。
【００３５】
本発明の衣服１は、図６に示すように、袖が前身頃３より前方に延びる形態をなし、前身頃３と上側部５の縫合線が人体の前肢前軸線１０３に対応し、後身頃７と上側部５の縫合線が人体の前肢後軸線１０４に対応し、前身頃３と後身頃７の縫合線が人体の外側分界線１０５に対応するので、肩関節および肘関節を含む一連の屈曲により形成される前方の運動域に対処できる。
【００３６】
【発明の効果】
本発明の衣服は、前身頃と上側部と後身頃の３つの部片で構成し、上側部の前縁を前身頃の上縁および袖部上縁に縫着し、上側部の後縁を後身頃の上縁および袖部上縁に縫着し、前身頃および後身頃の袖部下縁を互いに縫着し、前身頃に対して前方に延びる袖を形成し、後身頃の袖部の下縁肘区域に半円状切り欠き部を設け、この半円状切り欠き部に半円状切り欠き部の曲率より小さい曲率の円弧片を縫着したので、肩関節および肘関節を含む一連の屈曲による前方の運動域に対処し、上肢の前方挙上運動における肘運動をしやすくし、身頃および袖の引の引きつれを防ぐことができる。
【図面の簡単な説明】
【図１】本発明の衣服の着用者が腕を上げた状態を示す正面図。
【図２】本発明の衣服の着用者が腕を上げた状態を示す側面図。
【図３】本発明の衣服の着用者が腕を上げた状態を示す上面図。
【図４】本発明の衣服の各部片に分けた状態を示す図。
【図５】図４に示す各部片を重ね合わせた接合状態を示す図。
【図６】本発明の衣服の袖部分を下側から見た図。
【図７】円弧片を設けた肘部とダーツを設けた肘部との比較を示す図。
【図８】人体の皮膚の皮神経の支配による境を示す図。
【図９】人体の皮膚のしわの伸展方向を示す図。
【図１０】上半身衣服構造線で切った皮膚と伸展方向の展開図。
【図１１】図１０に対応する衣服の袖の運動機能を示す図。
【図１２】人体の胸部の静体位から動体位への運動偏移を示す図。
【図１３】人体の上肢の関節を示す図。
【図１４】人体の上肢の前上方挙上にともなう袖の引きつれ支点を示す図。
【符号の説明】
１  衣服
２  袖部
２ａ  袖部の上縁
２ｂ  袖部の下縁
３  前身頃
３ａ  側縁
４  袖部
４ａ  袖部の前縁
４ｂ  袖部の後縁
５  上側部
６ａ  袖部の上縁
６ｂ  袖部の下縁
７  後身頃
７ａ  側縁
９  円弧片
１０３  前肢前軸線
１０４  前肢後軸線
１０５  外側分界線
【図１】
0003908078.tif 000002
【図２】
0003908078.tif 000003
【図３】
0003908078.tif 000004
【図４】
0003908078.tif 000005
【図５】
0003908078.tif 000006
【図６】
0003908078.tif 000007
【図７】
0003908078.tif 000008
【図８】
0003908078.tif 000009
【図９】
0003908078.tif 000010
【図１０】
0003908078.tif 000011
【図１１】
0003908078.tif 000012
【図１２】
0003908078.tif 000013
【図１３】
0003908078.tif 000014
【図１４】
0003908078.tif 000015